(57)【要約】【課題】キャビネットに収納された際の美感が優れており、作業者が作業する際の安定性が高いワゴンを提供することを課題とする。【解決手段】上記課題を解決するため、本発明は、キャビネットＣに収容可能なワゴンＢであって、ワゴン本体３の下部に移動手段２２を備え、ワゴン本体３の上部に作業者が座ることができる座部２６が設置され、前記座部２６はワゴン本体３の片持状の支持フレーム１３によって支持されており、前記支持フレーム１３の前方が自由端であることを特徴とした。【選択図】図１
2008093248.tif 000002
【特許請求の範囲】
【請求項１】
キャビネットに収容可能なワゴンであって、ワゴン本体の下部に移動手段を備え、ワゴン本体の上部に作業者が座ることができる座部が設置され、前記座部はワゴン本体の片持状の支持フレームによって支持されており、前記支持フレームの前方が自由端であることを特徴とするワゴン。
【請求項２】
前記支持フレームが、ワゴン本体の後方から前方に上向いて傾斜するようにワゴン本体に設置されていることを特徴とする請求項１に記載のワゴン。
【請求項３】
前記ワゴン本体が、移動手段が取り付けられる底部と、底部の後方端部から上方に向けて垂直に伸びる立上り部と、立上り部の上端部から前方に上向いて傾斜するように伸びる支持フレームとを備えることを特徴とする請求項１又は２に記載のワゴン。
【請求項４】
ワゴン本体がキャビネットに収容されると、キャビネットの正面と略面一になる化粧部が設置されることを特徴とする請求項１〜３のいずれか一項に記載のワゴン。
【請求項５】
作業者が化粧部を背にして座部に座ったときに、作業者の足を置くことができる足置き部を前記ワゴン本体に設け、前記足置き部がおもりとなることを特徴とする請求項１〜４のいずれか一項に記載のワゴン。
【請求項６】
ワゴン本体は、座部の下方に収容部を備えており、前記座部は前記ワゴン本体に回動自在に取り付けられ、座部を回動させることにより前記収容部の開口が開閉されることを特徴とする請求項１〜５のいずれか一項に記載のワゴン。
【請求項７】
請求項４〜６のいずれかに記載のワゴンが収納され、ワゴンの化粧部とキャビネットの正面とが略面一となり統一された外観となることを特徴とするキャビネットシステム。
【発明の詳細な説明】
【技術分野】
【０００１】
本発明は、キャビネットに収容されるワゴン、並びに、キャビネットおよびワゴンを備えたキャビネットシステムに関するものである。
【背景技術】
【０００２】
従来、厨房装置等のキャビネットシステムに収容することができるワゴンとしては、様々な形状、用途のものがあり、可動式のキャビネット、可動式のゴミ箱などが挙げられる。
【０００３】
一方、これらワゴンの用途には、特許文献１に示されるように、可動式の椅子として用いる場合や、可動式の脚立として用いる場合がある。
【特許文献１】特開平１０−５０５１号公報
【発明の開示】
【発明が解決しようとする課題】
【０００４】
このように、ワゴン上で作業者が作業を行う場合、ワゴンをキャビネットに収容できる形状とするため、ワゴン本体の大きさやキャスター等の移動手段の取り付け位置が制限され、作業時にワゴンのバランスが不安定になり、転倒しやすかった。特に、正面下部が内側にくぼんだ踏込み形状のキャビネットに収容されるワゴンは、ワゴンも踏込み形状とすることが多く、この場合、更にキャスターの取り付け位置が限定されてしまい、安定性を有するワゴンが切望されていた。
【０００５】
そこで本発明は、上記問題点を鑑み、キャビネットに収納された際の美感が優れており、作業者が作業する際の安定性が高いワゴンを提供することを課題とする。
【課題を解決するための手段】
【０００６】
上記課題を解決するため、請求項１の発明では、キャビネットに収容可能なワゴンであって、ワゴン本体の下部に移動手段を備え、ワゴン本体の上部に作業者が座ることができる座部が設置され、前記座部はワゴン本体の片持状の支持フレームによって支持されており、前記支持フレームの前方が自由端であることを特徴とした。
【０００７】
これにより、作業者がワゴンの座部に座ると、支持フレームが撓んで座部が前方に傾き傾向となるため、作業者の重心をやや前方寄りにすることができる。その結果、請求項１の発明に係るワゴンにおいては、作業者は後方に体重をかけにくく、ワゴンのバランスが不安定になるのを防止することができる。
【０００８】
請求項１に記載のワゴンは、前記支持フレームが、ワゴン本体の後方から前方に上向いて傾斜するようにワゴン本体に設置されるものであってもよい（請求項２）。
【０００９】
また、上記請求項１又は２に記載のワゴンは、前記ワゴン本体が、移動手段が取り付けられる底部と、底部の後方端部から上方に向けて垂直に伸びる立上り部と、立上り部の上端部から前方に上向いて傾斜するように伸びる支持フレームとを備えるものであってもよい（請求項３）。
【００１０】
請求項４の発明では、請求項１〜３の発明において、ワゴン本体がキャビネットに収容されると、キャビネットの正面と略面一になる化粧部が設置されることを特徴とした。
【００１１】
これにより、ワゴン本体がキャビネットに収容されると、ワゴンおよびキャビネットは一体となって形態的統一性が生じる。そのため、請求項４の発明に係るワゴンは、キャビネットに収容された際の見栄えを良くすることができる。
【００１２】
請求項５の発明では、請求項１〜４のいずれか一項の発明において、作業者が化粧部を背にして座部に座ったときに、作業者の足を置くことができる足置き部を前記ワゴン本体に設け、前記足置き部がおもりとなることを特徴とした。
【００１３】
請求項５の発明に係るワゴンは、作業者が後方に体重をかけた場合であっても、おもりである足置き部が反力となってバランスを保つことができ、ワゴンが後方に傾くのを防止することができる。
【００１４】
請求項６の発明では、請求項１〜５のいずれか一項の発明において、ワゴン本体は、座部の下方に収容部を備えており、前記座部は前記ワゴン本体に回動自在に取り付けられ、座部を回動させることにより前記収容部の開口が開閉されることを特徴とした。
【００１５】
これにより、座部は収容部の蓋の役割を果たし、座部を回動させるという簡便な操作により収容部の開口を開閉させることができる。また、請求項６の発明に係るワゴンでは、収容部の上方が開口されているため、物を出し入れするのに便利である。
【００１６】
請求項７の発明では、請求項４〜６のいずれかに記載のワゴンが収納されるキャビネットシステムであって、ワゴンの化粧部とキャビネットの正面とが略面一となり統一された外観となることを特徴とした。
【００１７】
これにより、キャビネットシステム全体が統一感のあるデザインとなり、見栄えをよくすることができる。
【発明の効果】
【００１８】
本発明では、ワゴンがキャビネットに収容された際の意匠性を向上させることができ、且つ、作業者がワゴンに座って作業する際のワゴンの安定性を向上させることができる。
【発明を実施するための最良の形態】
【００１９】
以下、本実施形態に係るキャビネットシステムＡおよびワゴンＢについて説明する。本実施形態に係るキャビネットシステムＡは、キャビネットＣにワゴンＢを備えている。本発明に係るキャビネットＣは、一般成人の作業者が椅子に座ってキャビネットＣの上面で作業することができる高さのものであり、キャビネットＣの上面に天板や、シンク、洗面ボール等を備えた厨房装置や洗面化粧台等が想定されている。以下の説明では、厨房装置として使用されるキャビネットシステムＡを用いて本実施形態について説明する。
【００２０】
なお、以下の説明では、特に断りのない限り上下の位置関係については、図示するようなキャビネットシステムＡの通常の設置状態を基準とし、前後の位置関係については、ワゴンＢがキャビネットＣに収納される方向を基準とし、ワゴンＢを収納する方向を前方、ワゴンＢを引き出す方向を後方とする。また、左右の位置関係については、ワゴンＢを収納する方向を基準とする。
【００２１】
本実施形態に係るワゴンＢは、図１および図２に示すように、厨房装置のキャビネットＣに収納されるものであり、キャビネットＣの正面１の下端部には、内側にくぼんだ段２を有する蹴込み形状に形成されている。この厨房装置の場合、最下段の引き出しの下端部に段２を有しており蹴込み形状となっている。
【００２２】
キャビネットＣに収納されるワゴンＢは、図３に示すように、アルミニウムのフレームで組み立てられたワゴン本体３と、ワゴン本体３の上方に設けられ作業者が座る座部２６と、ワゴン本体３内部に物を収容するための収容部３７と、ワゴン本体３の後方に設けられた化粧部１７と、ワゴン本体３の下端に設けられた移動手段であるキャスター２２とを備えている。
【００２３】
図４に示すように、ワゴン本体３は、本フレーム５と補助フレーム６と連結フレーム８とを備えている。本実施形態において、本フレーム５は、一本のアルミニウム製パイプを折り曲げることによりされており、左右同一形状の側フレーム部７，７’および左右の側フレーム部７，７’を連結する連結部１０から構成されている。
【００２４】
側フレーム部７の形状は、前方に開口された略「Ｖ」字形状である。さらに説明すると、前後方向に沿って水平に伸びる底部１１と、底部１１の後方端部から上方に向けて垂直に伸びる立上り部１２と、立上り部１２の上端部から前方に上向いて傾斜するように伸びる支持部１３（支持フレーム）とを備え、左右の側フレーム部７の上端が連結部１０によって連結されている。
【００２５】
また、本フレーム５を構成する支持部１３の略中央には、補助フレーム６が後方に向けて上向きに傾斜するように溶接されており、左右の支持部１３，１３’に取り付けられた補助フレーム６，６’は、本フレーム５の連結部１０と平行に伸びる連結フレーム８により連結されている。そして、本実施形態に係るワゴン本体３は、側フレーム部７において底部１１は支持部１３よりもやや前方に突出しており、補助フレーム６は底部１１よりもやや後方に突出している。
【００２６】
また側フレーム部７の底部１１の外側面には、図３に示すように、長尺状のスライドレール１４が設けられており、ワゴンＢが収納されるキャビネットＣ内部には、図１に示すように、これに対応したレール片１５が設けられている。従って、ワゴンＢをキャビネットＣに収納するときには、このスライドレール１４がレール片１５に沿って案内され、スムーズに収納されることとなる。
【００２７】
本実施形態において、ワゴン本体３の背面に取り付けられる化粧部１７は、図３に示すように、上方の化粧板１８と下方の化粧蹴込板１９とを備えている。化粧蹴込板１９はワゴン本体３の立上り部１２に取り付けられ、化粧板１８はワゴン本体３の補助フレーム６の後端部に取り付けられている。従って、化粧板１８は、化粧蹴込板１９よりワゴン本体３の外側に取り付けられ、化粧板１８と化粧蹴込板１９との間に段２０が形成されている。
【００２８】
ワゴン本体３の下端を構成する側フレーム部７の底部１１には、移動手段としてキャスター２２が設けられている。本実施形態では、左右の側フレーム部７，７’の前側、すなわちキャビネットＣに先に収納される側に前キャスター２３が一つずつ取り付けられており、左右の側フレーム部７，７’の後側、すなわち化粧部１７側に後キャスター２４が一つずつ取り付けられている。
【００２９】
ここで、後キャスター２４は、図３に示すように、化粧部１７の段２０よりも前方に取り付けられており、化粧部１７よりもワゴン本体３の内側に取り付けられている。これにより、ワゴンＢがキャビネットＣに収納されたときには、外部からキャスターが視認されない構造となっている。そのため、本実施形態に係るキャビネットシステムＡは、図２に示すように、ワゴンＢがキャビネットＣに収納されると、ワゴンＢがあたかもキャビネットＣの引き出しの一部のような統一された外観を形成する。
【００３０】
ワゴン本体３の上方には作業者が座る座部２６が設置されている。座部２６は、樹脂によって板状に形成されており、図３に示すように、作業者の臀部が載せられる水平領域２７と作業者の臀部が後方に移動するのを制止する傾斜領域２８とに大別される。傾斜領域２８は、座部２６の後端部に形成されており、前方上向きに傾斜している。
【００３１】
本実施形態に係るワゴンＢは、作業者が座ったとき、作業者の臀部が傾斜領域２８に当接するため、傾斜領域２８によって臀部が後方に移動するのが制止される。そのため、ワゴンＢの重心が後方に偏り過ぎず、ワゴンＢの安定性を向上させることができる。また、作業者は、臀部を座部２６の所定の位置に置くことができるので、長時間であっても楽な姿勢で作業を続けることができる。
【００３２】
座部２６は、取付部材３１を用いて本フレーム５の連結部１０に取り付けられ、連結部１０および連結フレーム８、補助フレーム６を介して片持状の支持部１３によって支持されている。
【００３３】
取付部材３１は金属製の部材であり、設置部３２と軸孔部３３とに大別される。設置部３２に挟み込まれるように軸孔部３３が配置されており、軸孔部３３には、連結部１０の外径に対応した凹溝３４が設けられている。そして、取付部材３１は、本フレーム５の連結部１０を前記凹溝３４に嵌め込んで、座部２６の下面前方の所定位置にビスで取り付けられている。このとき、本フレーム５は、取付部材３１の凹溝３４および座部２６の下面によって構成される軸孔３５には固定されていない。そのため、本実施形態に係るワゴンＢでは座部２６を、図５に示すように、本フレーム５の連結部１０に対して相対的に回動させることができる。
【００３４】
また、通常の使用状態でワゴン本体３に取り付けられた座部２６は、下面の後端部が連結フレーム８の上部と当接されており、座部２６の水平領域２７が床面と略平行となるように支持されている。そして本実施形態に係る座部２６は、水平領域２７と傾斜領域２８との境界２９が後キャスター２４よりも前方になるように設置される。
【００３５】
さらに、本実施形態に係るワゴンＢでは、ワゴン本体３に設置される化粧部１７の化粧板１８が、やや後方に突出して取り付けられているため、座部２６の大きさを十分に確保した場合であっても、座部２６の後端部と化粧板１８との間には、手を挿入することができる程度の空間３０を生じさせることができる。
【００３６】
本実施形態に係るワゴンＢの内部空間には、収容部３７が設けられており、前記収容部３７は座部２６の下方に位置している。収容部３７は、線材で形成された上方に開口を有する略箱型のものであり、通常の使用状態では図３に示すように、前記開口が前記座部２６によって塞がれている。しかし、本実施形態に係るワゴンＢでは、図５に示すように、前記空間３０に手を挿入して座部２６の後端部を持ち上げ、本フレーム５の連結部１０を回転軸として回動させ、収容部３７の開口を開放させることにより、収容部３７に物を出し入れすることができる。
【００３７】
本実施形態に係るワゴンＢには、図３に示すように、化粧板１８の上端に、その幅方向の全長に渡って断面略コ字型で長尺形状のライン状把手３９が設けられている。なお、この化粧板１８、化粧蹴込板１９及びライン状把手３９は、キャビネットＣと同じ素材を用いて形成することが望ましく、そうすることでワゴンＢが収納されたキャビネットシステムＡ全体に統一感を持たせることができる。従って、把手の形状もライン状把手３９に限定されるわけではなく、キャビネットＣの引き出しに設けられた把手の形状に対応させることが望ましい。
【００３８】
また、側フレーム部７の底部１１は、ワゴン本体３においてやや前方に突出しているが、この突出した部分は、作業者が足を置ける足置き部４１となっている。本実施形態に係るワゴンＢでは、鉄製の板材が足置き部４１として取り付けられており、足置き部４１がワゴンＢ全体の重心を前方に偏らせるおもりとしての機能を果たしている。
【００３９】
本実施形態に係るワゴンＢにおいては、化粧部１７の下端にストッパー４４が設けられている。そのため、仮にワゴンＢの後方、すなわち化粧部１７側にワゴンＢの重心が偏ったとしても、ストッパー４４が床に当接し、ワゴンＢがそれ以上傾くことを防止する。
【００４０】
本実施形態に係るワゴンＢにおいて、作業者が座部２６に座ると、連結部１０および連結フレーム８、補助フレーム６を介して作業者の荷重が本フレーム５の支持部１３に作用する。支持部１３は、片持状に形成され、前方が自由端となっていることから、支持部１３に作業者の荷重が作用すると支持部１３が撓んで、座部２６が前方に傾き傾向となる。このため、座部２６に座った作業者の重心がやや前方寄りとなり、本実施形態に係るワゴンＢは、後方に傾きにくい。
【００４１】
本実施形態に係るワゴンＢは、化粧部１７の下端にキャビネットＣの蹴込み形状に対応させた段２０が形成されている。そのため、蹴込み形状を有するキャビネットＣにワゴンＢを収納させると、ワゴンＢの化粧部１７とキャビネットＣの正面１とが略面一となり、ワゴンＢとキャビネットＣとで構成されるキャビネットシステムＡの外観を統一されたものにすることができる。すなわち、キャビネットＣにワゴンＢが収納されると、ワゴンＢは、キャビネットＣの引き出し部分と区別がつかなくなり、キャビネットシステムＡ全体のデザインに統一感が生まれ、その見栄えを良くすることができる。
【００４２】
また、本実施形態に係るワゴンＢは、おもりとなる足置き部４１をワゴン本体３に設けているため、ワゴンＢ全体の重心を前方に偏らせることができ、作業者が化粧部１７側に体重を移動させても一定のバランスを保つことができる。これは、持にワゴンＢの化粧部１７の下端部に段２０を設けている場合、後キャスター２４の設置位置がやや前方になるため、ワゴンＢのバランスが崩れやすくなっており、上記構成はワゴンＢの安定性を向上させるのに非常に有効な措置となる。
【００４３】
すなわち、本実施形態に係るワゴンＢは、後キャスター２４を中心とする回転モーメントに対して有効な位置におもりとして機能する足置き部４１が設置されている。そのため、作業者が化粧部１７側に体重を移動させたとしても足置き部４１の荷重が反力となり、ワゴンＢがバランスを崩して転倒するのを防止することができる。また本実施形態に係るワゴンＢでは、おもりが足置き部４１であるため、作業者にとって邪魔になりにくく、ワゴンＢの見栄えも害さない。
【００４４】
さらにワゴンＢをキャビネットＣから引き出すにはライン状把手３９を持って引き出すことになるが、そのときにもワゴンＢ全体の重心が前方となるため、前キャスター２３が床から浮きにくく、スムーズにワゴンＢをキャビネットＣから引き出すことができる。
【００４５】
上記実施形態において、足置き部４１として鉄製の板材がワゴン本体３の前方下部に取り付けられたが、本発明はこのような構成に限られるわけではない。すなわち、ワゴンＢ全体の重心を前方に偏らせることができる構成であればよく、例えば、足置き部４１を樹脂等で形成し、アルミニウム製で上方に開口した略箱型のおもり取付部材の内部に、金属、コンクリートなどの比重が大きい素材を充填し、これを足置き部の下方に設ける構成としてもよい。
【００４６】
また、上記実施形態において、座部２６は本フレーム５の連結部１０に取付部材３１を介して回動自在に取り付けられたが、本発明はこのような構成に限られるわけではない。例えば、ワゴン本体３の後方に位置する連結フレーム８に、前記座部２６を回動自在に取り付けてもよい。
【００４７】
本願発明は上記実施形態のように厨房装置への使用に限定されるものではなく、例えば、洗面化粧台のようなキャビネットシステムＡについて使用してもよい。また、キャビネットＣおよびそれに対応したワゴンＢの化粧部１７の形状についても上記実施形態に限定されず、例えば、化粧部１７が化粧板１８と化粧蹴込板１９に分割されておらず、一体に形成されていてもよい。さらに、用途についても作業者が座って作業するための椅子としての用途だけではなく、作業者が座部２６の上方に立って作業するための脚立としての用途もある。
【図面の簡単な説明】
【００４８】
【図１】本実施形態に係るキャビネットシステムにおいてワゴンが引き出された状態を示す斜視図である。
【図２】本実施形態に係るキャビネットシステムにおいてワゴンが収納された状態を示す斜視図である。
【図３】本実施形態に係るワゴンの通常の状態を示す側面図である。
【図４】本実施形態に係るワゴン本体を構成するフレームを示す概略図である。
【図５】本実施形態に係るワゴンの座部を持ち上げた状態を示す側面図である。
【符号の説明】
【００４９】
１    キャビネットの正面
３    ワゴン本体
１１  底部
１２  立上り部
１３  支持部（支持フレーム）
１７  化粧部
３７  収容部
４１  足置き部
２２  キャスター（移動手段）
２６  座部
Ａ  キャビネットシステム
Ｂ  ワゴン
Ｃ  キャビネット
【図１】
2008093248.tif 000003
【図２】
2008093248.tif 000004
【図３】
2008093248.tif 000005
【図４】
2008093248.tif 000006
【図５】
2008093248.tif 000007